(57)【要約】【解決手段】ロール紙Ｐを蓋体２側に押圧付勢してカッター３部分でロール紙Ｐを挟着する上下揺動自在な挟着体４をロール紙Ｐの下面側に配設する。蓋体２下面側にあるロール紙Ｐの上面に接触可能とする開口部２Ａを蓋体２の一部に開口する。該開口部２Ａでロール紙Ｐに接触してロール紙Ｐを回転させる際の押圧力にて挟着体４を押し下げ、挟着体４がカッター３から離れるようにする。挟着体４は、カッター３下面にロール紙Ｐを圧着する圧着ロール５と、開口部２Ａ下面にロール紙Ｐを押圧付勢するスライド板６と、これら圧着ロール５とスライド板６とを蓋体２側に押し上げる弾性部材７とを有する。【効果】ホルダー内部でロール紙が千切れるおそれがない。片手でも確実に切り離すことができる。【選択図】　　　　図１
2004081738.tif 000002
【特許請求の範囲】
【請求項１】
ロール紙を回転自在に保持するホルダー体と、該ホルダー体に保持されたロール紙の上に配置された蓋体とを有し、引き出したロール紙を蓋体先端のカッターで切断するロール紙用ホルダーにおいて、引き出されたロール紙を蓋体側に押圧付勢してカッター部分でロール紙を挟着する上下揺動自在な挟着体をロール紙の下面側に配設し、蓋体下面側にあるロール紙の上面に接触自在となる開口部を蓋体の一部に開口し、該開口部でロール紙に接触してロール紙を手繰る際の押圧力にてロール紙を付勢している挟着体を押し下げると共に、カッター部分でロール紙を挟着していた挟着体がカッターから離れるようにしたことを特徴とするロール紙用ホルダー。
【請求項２】
前記挟着体は、前記蓋体のカッター下面にロール紙を圧着する圧着ロールと、蓋体の開口部下面にロール紙を押圧付勢するスライド板と、これら圧着ロールとスライド板とを蓋体側に押し上げる弾性部材とを有する請求項１記載のロール紙用ホルダー。
【請求項３】
前記ホルダー体に保持されたロール紙の一部に接触し、回転時のロール紙のたるみを防止する弛み防止具をホルダー内に配設した請求項１記載のロール紙用ホルダー。
【発明の詳細な説明】
【０００１】
【発明の属する技術分野】
本発明は、キッチンペーパーやトイレットペーパーなどのロール紙を保持するロール紙用ホルダーに係り、片手でもロール紙を切り離すことが可能なロール紙用ホルダーに関する。
【０００２】
【従来の技術】
従来、ロール紙用ホルダーの基本構成として、ロール紙を保持するローラーを設けたホルダー体と、ローラーに回転自在に支持されたロール紙の上に配置された蓋体とから成り、引き出したロール紙を蓋体の先端にあてた状態で切り取る構成が一般的である。
【０００３】
このような構成の場合、一方の手で蓋体を押さえながら他方の手でロール紙を切り取ることになるので、片手での切り取り操作ができない不都合がある。そのため片手でもロール紙を切り取ることができるように工夫されたホルダーが種々提案されている。
【０００４】
例えば、特許第２７０６０５３号公報に記載されたロールペーパー等のホルダーにあっては、ロール紙を着脱可能に軸受する本体枠と、本体枠の上部開口部の一部を水平状に開閉可能に閉止する内蓋と、内蓋に重合して上部開口部を開閉可能に閉止する押え部材を設けた押え蓋とからなり、内蓋に受け溝を凹設し、該押え蓋の自由端側にはロール紙を挿通可能に所定幅の切欠き凹部を設け、該切欠き凹部の開口端にカッターを横架した構成が提案されている。
【０００５】
この構成によると、ロール紙端部を片手で持上げることで押え蓋を持ち上げ、ロール紙を必要な位置まで引き出してからカッター方向に引下げることで、内蓋の受け溝と押え部材とによりロール紙を挾着してカッターにより切断するものである。
【０００６】
一方、実用新案登録第２６０３４０９号に記載されたカッタ付トイレットペーパーホルダにも、片手による操作が可能なホルダーが記載されている。この考案の構成は、ロール状のトイレットペーパーを回転可能に収納する筒状のトイレットペーパー収納部と、トイレットペーパーをカットするケース延設部とからなるもので、このケース延設部内に、トイレットペーパーをケース延設部の外部に誘導するガイド部と、トイレットペーパーの引出しを一時的に阻止するペーパー引出し阻止手段とを備えている。
【０００７】
このトイレットペーパーホルダによると、トイレットペーパーを所望の長さまで引出した後、上方に向きを変えて引っ張ると、ペーパー引出し阻止手段でトイレットペーパーの引出しが止められるとともに、蓋体の先端のカッターでトイレットペーパーが切断される。切断後は、トイレットペーパー及び蓋体が共にたれ下がった際に、蓋体の幅分だけトイレットペーパーが余分に下がるようにしている。
【０００８】
【発明が解決しようとする課題】
ところが、従来のペーパーホルダーは、いずれの構成においても、ホルダーの内部でロール紙を押さえながら蓋体先端のカッターで切断する構成を採用しているので、ロール紙を引き出す際に、ロール紙を押さえた部分でペーパーが引き千切れる可能性があった。この場合、ホルダー内側に残ったロール紙端部を元の状態に戻す作業に面倒な手間を要するものであった。
【０００９】
例えば、前者のロールペーパー等のホルダーにおいて、ロール紙端部を把持して引き出す際に、内蓋の受け溝と押え部材とのペーパー挾着部分でロール紙が切れるおそれがある。この位置でロール紙が切れた状態から元の状態に戻すには、まず一方の手で押え蓋を持ち上げ、残る片方の手で受け溝内からロール紙の端部を取り出して必要な位置まで引き出す作業が必要になる。したがって、ロール紙がホルダー内部でちぎれてしまうごとに、面倒な修正作業を行わなければならない。
【００１０】
また、後者のカッタ付トイレットペーパホルダでは、トイレットペーパの引出しを一時的に阻止するペーパー引出し阻止手段の位置でロール紙が切れてしまうおそれがある。この場合は、ペーパー引出し阻止手段を設けたケース延設部内からケース延設部の外側へロール紙端部を引き出す修正作業が必要になる。ところが、ペーパー引出し阻止手段やケース延設部の開口端部に設けているカッターなどが修正作業の妨げになるので、ロール紙端部を引き出す作業は極めて困難な作業にならざるを得ない。
【００１１】
そこで本発明は上述の課題を解消すべく創出されたもので、ロール紙を片手で切り取ることができるロールペーパー用ホルダーにおいて、ロール紙を引き出す際にホルダー内部でロール紙が切れるおそれがなく、カッター部分で確実に切断することができ、面倒な修正作業の必要がなくなるロールペーパー用ホルダーの提供を目的とする。
【００１２】
【課題を解決するための手段】
上述の目的を達成すべく本発明の第１の手段は、ロール紙Ｐを回転自在に保持するホルダー体１と、該ホルダー体１に保持されたロール紙Ｐの上に配置された蓋体２とを有し、引き出したロール紙Ｐを蓋体２先端のカッター３で切断するロール紙用ホルダーにおいて、引き出されたロール紙Ｐを蓋体２側に押圧付勢してカッター３部分でロール紙Ｐを挟着する上下揺動自在な挟着体４をロール紙Ｐの下面側に配設し、蓋体２下面側にあるロール紙Ｐの上面に接触自在となる開口部２Ａを蓋体２の一部に開口し、該開口部２Ａでロール紙Ｐに接触してロール紙Ｐを手繰る際の押圧力にてロール紙Ｐを付勢している挟着体４を押し下げると共に、カッター３部分でロール紙Ｐを挟着していた挟着体４がカッター３から離れるようにしたことにある。
【００１３】
第２の手段の挟着体４は、前記蓋体２先端のカッター３下面にロール紙Ｐを圧着する圧着ロール５と、蓋体２の開口部２Ａ下面にロール紙Ｐを押圧付勢するスライド板６と、これら圧着ロール５とスライド板６とを蓋体２側に押し上げる弾性部材７とを有する。
【００１４】
第３の手段は、前記ホルダー体１に保持されたロール紙Ｐの一部に接触し、回転時のロール紙Ｐのたるみを防止する弛み防止具８をホルダー体１内に配設したことを課題解消のための手段とする。
【００１５】
本発明によると、ロール紙Ｐは、挟着体４の押圧付勢力によってカッター３と挟着体４とに挟着されるので、片手でも容易に切り取ることができる。ロール紙Ｐを引き出す際は、蓋体２の開口部２Ａからロール紙Ｐを手繰ることでロール紙Ｐを引き出すことができる。このとき、ロール紙Ｐを手繰る際の押圧力が挟着体４を押し下げるので、カッター３と挟着体４の間からロール紙Ｐを繰り出すことができる。
【００１６】
【発明の実施の形態】
以下、図面を参照して本発明の実施例を詳細に説明する。本発明の基本構成は、ロール紙Ｐを保持するホルダー体１、切断時にロール紙Ｐを押さえる蓋体２、ロール紙Ｐを切断するカッター３、ロール紙Ｐを蓋体２側に押圧付勢する挟着体４からなる（図１、図５参照）。
【００１７】
ホルダー体１は、左右一対の支持腕１Ａ間に支持ローラー１Ｂを装着し、この支持ローラー１Ｂにロール紙Ｐを軸支するものである（図１、図５参照）。図１に示すホルダー体１は、蓋体２の下でロール紙Ｐを保持している。図示のホルダー体１は、テーブル等に載置可能な支持脚１Ｃを設けているが、このホルダー体１を壁掛け用に変更しても良い。また、板体状の支持腕１Ａに支持ローラー１Ｂをねじ止めした状態を示しているが、支持腕１Ａや支持ローラー１Ｂの形状や構造は図示例に限定されるものではない。また、ホルダー体１と蓋体２との位置関係においても、自由に選択することができる。例えば、図５に示すように、蓋体２の上にホルダー体１を配置することも可能である。
【００１８】
蓋体２の先端にカッター３を設けている。このカッター３は、略鋸刃状に形成されておりホルダー体１に保持したロール紙Ｐを任意の位置で切断するもので、ホルダー体１から略水平に引き出したロール紙Ｐの上に設置する（図１、図５参照）。そして、後述する挟着体４と、この蓋体２とでロール紙Ｐを挟着するものである。更に、蓋体２の適位置に開口部２Ａを開口する。この開口部２Ａは、開口部２Ａから表出するロール紙Ｐを手繰ってロール紙Ｐを引き出す部分になっている。すなわち、開口部２Ａに表出するロール紙Ｐを、ロール紙Ｐの下に配置した挟着体４を介して手指にて手繰り寄せるものである。すると、ロール紙Ｐの下の挟着体４を押し下げながらロール紙Ｐを繰り出すことになる。図示の開口部２Ａは、蓋体２の中ほどを切り抜いた状態にしているが、この開口部２Ａを切り欠き状に形成してもよく、蓋体２を片側で支持することも可能である。要は蓋体２を通してロール紙Ｐを手繰り寄せることができる状態であれば開口部２Ａの形状を任意に変更することができる。尚、図１に示す符号２Ｂは、蓋体２を抑える抑止バネである。この抑止バネ２Ｂは、上下に揺動する蓋体２を挟着体４側に付勢することで、圧着ロール５とカッター３との挟着力を高めるものである。図示例の抑止バネ２Ｂは支持腕１Ａの外側に表出しているが、支持腕１Ａの内側に配することで目立たぬようにすることができる。また、抑止バネ２Ｂを用いずに蓋体２の自重を利用したり、蓋体２を固定した状態で使用することも可能である。更に同図中符号２Ｃは蓋体２を上に持ち上げるときに使用する突起であり、抑止バネ２Ｂと共に、蓋体２を屈曲延長した側板に設けている。
【００１９】
挟着体４は、略水平に引き出したロール紙Ｐの下面側に配設したもので、上下に揺動するように設けてある。そして、ロール紙Ｐを蓋体２の下から蓋体２側に押圧付勢し、特にカッター３部分でロール紙Ｐを挟着している。図示の挟着体４の構成は、圧着ロール５、スライド板６、弾性部材７を有している。
【００２０】
圧着ロール５は、蓋体２先端に設けたカッター３の下面にロール紙Ｐを圧着する部材で、挟着体４の押圧付勢力でカッター３との間にロール紙Ｐを挟着する（図２、図６参照）。図示の圧着ロール５は、湾曲した蓋体２の先端に沿って重合するように配することで、ロール紙Ｐの挟着面積をできるだけ広くしている。ロール紙Ｐをこのように挟着することで、ロール紙Ｐをカッター３で切断する際に、ロール紙Ｐの位置ずれを防止しながら確実に切断することができる。
【００２１】
スライド板６は、蓋体２の開口部２Ａ下面にロール紙Ｐを押圧付勢する部材である。このスライド板６は、開口部２Ａ部分における手指でロール紙Ｐを手繰る際の基盤となり、また、このスライド板６を介して挟着体４全体を押し下げる部材にもなる。そこで、ロール紙Ｐを手繰る際に、ロール紙Ｐのすべりを良くするため、スライド板６の上面にスライドプレート６Ａを設けている。このスライドシート６Ａは、合成樹脂材のシート材表面に、ロール紙Ｐのスライド方向に沿った凹凸形状のスライド溝加工を施したものである（図１、図５参照）。
【００２２】
弾性部材７は、これら圧着ロール５とスライド板６とを蓋体２側に押し上げる作用の弾性材を用いる。図２に示す弾性部材７は、支持腕１Ａの側面に固定した固定基盤７Ｂに板バネ材７Ａを装着している。そして、この板バネ材７Ａでスライド板６を下から押し上げると共に、スライド板６に連結した圧着ロール５でロール紙Ｐを挟着するようにしている。
【００２３】
一方、図６に示す弾性部材７は、支持腕１Ａと別体に設けた挟着体４に装着している。同図の挟着体４は、ホルダー体１の下方に蓋体２を配設し、この蓋体２に沿って挟着体４を突設している。そして、固定基盤７Ｂを蓋体２と略平行に突設し、この固定基盤７Ｂに板バネ材７Ａを設けている。スライド板６は，この固定基盤７Ｂに揺動自在に連結し、その他の構成は、図２に記載された挟着体４と同様の構成を成している。
【００２４】
弛み防止具８は、ホルダー体１に保持されたロール紙Ｐの一部に接触し、回転時のロール紙Ｐのたるみを防止する部材である。図示例の弛み防止具８は、板状を成し、ホルダー体１に保持したロール紙Ｐの上部に接触することで、回転時の弛みや回転過多を防止するものである（図２、図６参照）。
【００２５】
図５及び図６に示す符号９は、誘導ローラーである。この誘導ローラー９は、蓋体２の上部に設置したホルダー体１から引き出したロール紙Ｐを蓋体２の下に配する際に、ロール紙Ｐの屈曲部分を押さえることで略水平に整える。図示の誘導ローラー９は、ホルダー体１に揺動自在に装着され、誘導ローラー９に設けたバネの付勢力でロール紙Ｐの方向変換部分を略直角になるように誘導している。また、このバネに代えて誘導ローラー９の自重で誘導することも可能である。
【００２６】
【発明の効果】
本発明は、上述の如く構成したことにより、当初の目的を達成した。
【００２７】
すなわち、カッター３部分でロール紙Ｐを挟着する挟着体４をロール紙Ｐの下面側に配設し、ロール紙Ｐの上面に接触可能とする開口部２Ａを蓋体２の一部に開口し、該開口部２Ａでロール紙Ｐに接触してロール紙Ｐを回転させる際の押圧力にて挟着体４を押し下げると共に、挟着体４がカッター３から離れるようにしているので、ロール紙Ｐを引き出す際は、開口部２Ａからロール紙Ｐを手繰ることで、スムーズに引き出すことができる。したがって、従来のホルダーの内部でペーパーを押さえるホルダーのように、ペーパーを押さえた部分でペーパーが引き千切れるおそれは解消された。この結果、ホルダー内側に残ったペーパー端部を元の状態に戻す面倒な作業も必要なくなった。
【００２８】
しかも本発明は、開口部２Ａを設けた蓋体２と、蓋体２の下に配置する挟着体４にて実施できるので、本発明の蓋体２と挟着体４とを既存のロール紙用ホルダーに装着することも可能である。
【００２９】
また、挟着体４は、カッター３下面にロール紙Ｐを圧着する圧着ロール５を有しているので、ロール紙Ｐ切断時に片手でも確実に切り取ることができる。更に、蓋体２の開口部２Ａ下面にスライド板６を設けたことから、このスライド板６の上面にロール紙Ｐをスライドさせながらロール紙Ｐを手繰り出すことが可能になり、ロール紙Ｐの引き出し操作をスムーズに行える。
【００３０】
そして、前記ホルダー体１に保持されたロール紙Ｐの一部に接触し、回転時のロール紙Ｐのたるみを防止する弛み防止具８をホルダー体１内に配設したことで、ロール紙Ｐを勢い良く手繰り寄せてもロール紙Ｐが空回りしたり、弛んでしまうのを防止し、常に安定した状態で引き出すことが可能になる。
【００３１】
このように本発明によると、ロール紙を片手で切り取ることができるロールペーパー用ホルダーにおいて、ロール紙を引き出す際にホルダー内部でロール紙が切れるおそれがなく、カッター部分で確実に切断することができ、面倒な修正作業の必要がなくなるなどといった効果を奏するものである。
【図面の簡単な説明】
【図１】本発明の一実施例を示し、ロール紙の一部を切り欠いた状態を示す斜視図である。
【図２】本発明の一実施例を示す断面図である。
【図３】本発明の挟着体でロール紙を押圧付勢している要部断面図である。
【図４】本発明の挟着体を押し下げた状態を示す要部断面図である。
【図５】本発明の他の実施例を示し、ロール紙の一部を切り欠いた状態を示す斜視図である。
【図６】本発明の他の実施例を示す断面図である。
【符号の説明】
Ｐ　ロール紙
１　ホルダー体　　１Ａ　支持腕
１Ｂ　支持ローラー
１Ｃ　支持脚
２　蓋体　　　　　２Ａ　開口部
２Ｂ　抑止バネ
２Ｃ　突起
３　カッター
４　挟着体
５　圧着ロール
６　スライド板
７　弾性部材　　　７Ａ　板バネ材
７Ｂ　固定基盤
８　弛み防止具
９　誘導ローラー
【図１】
2004081738.tif 000003
【図２】
2004081738.tif 000004
【図３】
2004081738.tif 000005
【図４】
2004081738.tif 000006
【図５】
2004081738.tif 000007
【図６】
2004081738.tif 000008